(57)【要約】      （修正有）【課題】皮膚吸引による治療機器の欠点を補い、筋膜リリース効果をより高めるヘッドのカバーを提供する。【解決手段】シリコン樹脂に代表されるような合成樹脂製の素材で、ヘッドの先端を覆い被せて装着するカバーａを作製する。これを伸ばし広げて当該ヘッド部に密着させるように装着すれば、内壁部にカバー（パッド）ａは存在しておらず、カバーａの装着対象のヘッドの素材の硬さが芯となり、そこに当該カバーａが密着しているため、筋膜リリースを目的とした動きの速い動作をしても、空気を漏らさず常に陰圧状態を保持できるという効果が得られる。【選択図】図１
2018057823.tif 000002
【特許請求の範囲】
【請求項１】
次の（１）〜（４）の特徴を持つ、皮膚吸引による治療機器のヘッドの開口端を覆うように装着するカバー
（１）シリコン樹脂などに代表される合成樹脂製である
（２）装着対象のヘッドよりも小さいサイズである
（３）装着時、または使用時に破損しない程度の可橈性を有する
（４）装着対象のヘッドの開口端から少なくとも１ｃｍ以上の長さを持つ
【発明の詳細な説明】
【技術分野】
【０００１】  本発明は、皮膚吸引による治療機器のヘッドカバーに関するものである。
【背景技術】
【０００２】  従来、皮膚吸引による治療機器で、陰圧器の開口端に合成樹脂製の弾性ゲル材によって形成された弾性パッドが装着されているものが存在している。
【先行技術文献】
【０００３】
【特許文献１】特開平１１−９６３２号公報
【０００４】  上記特許文献１には、皮膚吸引による治療機器が提案されており、当該機器に付属している陰圧器（ヘッド部）の開口端には、当該部を覆う弾性パッド（カバー）が装着されている。
【０００５】  具体的には、この開口端を、目的とする体の部位に当てて脱気装置を駆動させ、陰圧状態を作る。
特に頭部などに使用する際は、弾性パッドの持つ柔軟性によって皮膚への接着面が皮膚の凹凸に対応でき、柔軟に変形することで良好な気密性を確保できる。
そして、弾性パッドの易変形性により皮膚上を容易にずらすことができ、これにより簡単に異なる部位に陰圧状態を作り出すことができる。
また、弾性パッドはその柔軟性から皮膚へのあたりが柔らかいため、使用時に痛感が生じにくく、使用後に皮膚に痕跡を残しにくい。
【発明が解決しようとする課題】
【０００６】  上記特許文献１の治療機器は陰圧状態を利用し、血行促進を目的としたものである。
そして、同じ陰圧状態を利用した治療法としては、筋膜リリースを目的としたものもある。
００１４に挙げたように、一般的に筋膜リリースを目的とした動きは、治療機器の本体を駆動させて脱気装置を駆動させ陰圧状態を作るまでは血行促進を目的とした場合と同じであるが、筋膜リリースを目的とした場合は、陰圧器に当たるヘッド部をある程度の速度をもって動かすという違いがある。
しかしながら当該機器を筋膜リリースに応用する場合、当該機器の弾性パッドは、筋膜リリースを目的とした動作時においては陰圧器に固定されにくく、さらに外れやすいという欠点がある。
【０００７】  したがって本発明の目的は、従来存在する皮膚吸引による治療機器のヘッドに装着することで、上記特許文献１の持つ、凹凸のある部分でも確実に陰圧状態を作り出すという性質を保持しつつ、筋膜リリースを目的とした動作時にも、陰圧器に該当するヘッド部分に安定して固定装着されており、陰圧状態を保持できるカバーを提供することにある。
【課題を解決するための手段】
【０００８】  シリコン樹脂に代表されるような合成樹脂素材により、装着対象のヘッドよりも小さいサイズでヘッドと同型のカバーを作製する。
装着時に伸ばし広げて装着対象のヘッドに覆い被せるように装着することで、装着後に当該ヘッドに完全に密着させることができる。
当該素材は、この装着時にも、また０００９に記載するような操作時にも、破損しない可撓性を有するものとする。
なお、上記特許文献１のように、すでにヘッド部の開口端に弾性パッドなどが付属している場合は、それを取り除いてから装着する。
そして、治療器本体を駆動させて使用する場合は、カバーを装着することで吸引口全体が完全に覆われてしまうことを防ぐために、少なくとも１か所以上の穴が開いているものとする。
この場合は、例えば、テーブルコショウの振り出し口のように複数の穴が存在していてもよいし、吸引口の外周部のみが覆われ、中心部が大きくあいていて覆われていない状態になっているものでもよい。
また、治療機器本体を駆動させない状態、つまり陰圧状態を作り出さないで使用することもできるように、穴が開いておらず吸引口全体を覆うものであってもよい。
そして、使用時に当該ヘッド本体と、それに密着した本発明品を同時に把持できることを目的として長さを少なくとも１ｃｍ以上とする。
【発明の実施形態】
【０００９】  上記のようにして、皮膚吸引による治療機器のヘッドに本発明によるカバーを装着する。
そして、当該カバーが密着している部分のヘッドを把持して吸引口を皮膚に密着させ、治療機器本体を駆動させて陰圧状態を作り、皮膚を吸引しながら適度な距離の直線上を往復させたり、ランダムに動かしたりする動作をする。
または、機器本体は駆動させないで上記と同じ動作をする場合があってもよい。
なお、本発明によるカバーの外周をテープなどで固定するものであってもよいものとする。
【発明の効果】
【００１０】  上記特許文献１の弾性パッド部は、パッドに設けられた溝部に陰圧器の吸引口をはめ込むもので、高さの異なる内壁部と外壁部とが存在するものである。
そもそも、上記特許文献１の機器は、目的とする部に陰圧状態を作り、これを徐々にずらしていく、という動作をすることを前提に作られたものである。
しかしながらこれは、ある程度の速度を持つ往復運動やランダムな運動などの、筋膜リリースを目的とした動作で使用するには適していない。
それは、高さの異なる壁部が形成するリング状の部分をある程度の速度で動かせば、パッドの素材が持つ柔軟性によってリング状を形成するパッド部の高さがくにゃりと倒れる状態となり、空気が漏れて陰圧状態が維持できないからである。
【００１１】  これに対し、本発明品のように、ヘッド部より小さいサイズでカバーを作り、伸ばし広げて当該ヘッド部に密着させるように装着すれば、上記特許文献１の開口部と違って内壁部にカバー（パッド）は存在しておらず、本発明品のカバーの装着対象のヘッドの素材の硬さが芯となり、そこに当該カバーが密着しているため、筋膜リリースを目的とした動きの速い動作をしても、空気を漏らさず常に陰圧状態を保持できるという効果が得られる。
【００１３】  さて、従来筋膜リリースを目的とする、皮膚吸引による治療機器が存在している。
【００１４】
【非特許文献１】メディセル［平成２９年６月１日検索］、インターネット〈ＵＲＬ：ｈｔｔｐ：／／ｗｗｗ．ｍｊ−ｃｏｍｐａｎｙ．ｃｏ．ｊｐ／ａｂｏｕｔ〉
【００１５】  上記非特許文献１は、機器本体につながるホースに、数種類の大きさの吸引ヘッドが取り替えて連結できるようになっているもので、ヘッドは金属などの硬い素材で製作されている。
このヘッドの吸引口を、筋膜リリースをしたい部位に軽く押し当て、機器本体を駆動させて陰圧状態を作り、皮膚を吸引しながら直線上を往復したり、ランダムな運動をしたりするなどの動作をするものである。
【００１６】  上記非特許文献１は、皮膚を吸引することで皮膚をとらえ、その状態である程度の範囲で往復運動をしたりランダムに動かしたりなどすることで、皮膚とその直下の浅筋膜をはがすことを目的としている。
【００１７】  本発明品のカバーは、上記非特許文献１のヘッド部にも装着することが可能であり、上記非特許文献１を操作時の動きにも、陰圧状態を保持しながら対応可能である。
そして、当該ヘッド部が硬い物質で製作されているために、関節部周辺のように凹凸が存在してうまく沿わせられない場合でも、本発明品のカバーの素材が持つ柔軟性からどのような部位にでも密着させることができ、常に陰圧状態を作り出すことができるという利点が加わる。
【００１８】  また、本発明品のカバーがヘッドの吸引口全体を覆うタイプである場合は、次のような効果も期待できる。
【００１９】  上記特許文献１も非特許文献１も、ともに「吸引」により皮膚をとらえるものである。
これに対し、本発明品のカバーによりヘッドの吸引口全体が覆われている場合は、吸引口の面積全体で皮膚を「引っかける」ことにより、皮膚をとらえるものである。
これは、本発明品の素材である合成樹脂素材が、皮膚に対して滑りにくいことを利用した性質である。
このように、滑りにくい素材によって皮膚を引っかけることによってとらえた後は、非特許文献１の場合と同じように直線上の往復運動やランダムな運動をさせることで、筋膜リリース効果が期待できる。
つまり、皮膚をとらえる手段が「吸引」か「引っかける」かによるだけの違いである。
そのため、「吸引」によって皮膚をとらえたあとに直線上の往復運動やランダムな運動をさせることで筋膜リリース効果が期待できるなら、「引っかける」ことで皮膚をとらえたあとに同じ運動をさせても筋膜リリース効果は期待できるということである。
【００２０】  なお、合成樹脂素材が皮膚に対して滑りにくいことを利用した筋膜リリース効果を持つ用具としては、本願発明者により出願された以下の発明がある。
【００２１】
【特許文献２】特願２０１６−１１５７４７  上記特許文献に提案されている筋膜リリース用具は、具体的には、接する素材との摩擦係数を大きくする素材で製作され、施術時の力で要因に変形する柔らかさを兼ね備えたものであるが、これにより一平面で皮膚をとらえ、皮膚の可動域いっぱいを往復運動させることで筋膜リリースの効果を得るものである。
【００２３】  本発明品のカバーで吸引口が覆われているタイプを使用すれば、体に対しては上記特許文献２とほぼ同等の働きをすることになる。
つまり、皮膚吸引による治療機器のヘッドの吸引口の面積という一平面で皮膚をとらえ、皮膚の可動域いっぱいを往復運動させることで、筋膜リリースの効果を得るものである。
【００２４】  このように本発明における提案は、上記特許文献１のような、本来は筋膜リリースの動きを想定してない皮膚吸引による治療機器のヘッドに対しても、上記非特許文献１のような筋膜リリースを目的とした皮膚吸引による治療機器のヘッドに対しても手軽に装着でき、当該機器の持つ欠点を補うことができると同時に、従来よりも高い効果を持たせることができるものである。
【図面の簡単な説明】
【００２５】
【図１】皮膚吸引による治療機器のヘッドの皮膚接触面全体を覆い、複数の穴が存在している、本発明におけるカバー
【図２】皮膚吸引による治療機器のヘッド外周部のみが覆われ、中央部は大きくあいて覆われていない、本発明におけるカバー
【図３】皮膚吸引による治療機器のヘッド開口端全体を覆う、本発明におけるカバー
【図４】皮膚吸引による治療機器のヘッドの一例
【図５】図１のカバーを装着したヘッド
【図６】図２のカバーを装着したヘッド
【符号の説明】
【００２６】ａ  本発明品のカバー本体
ｂ  本発明品のカバーに開けられた、吸引時に空気を取り込むための穴
ｃ  本発明品のカバーの素材が存在していない空間部分
ｄ  皮膚吸引による治療機器のヘッド本体
ｅ  皮膚吸引による治療機器のヘッド本体のローラー部
ｆ  皮膚吸引による治療機器のヘッドの空洞部
ｇ  ｆを覆う本発明品のカバー本体
【図１】
2018057823.tif 000003
【図２】
2018057823.tif 000004
【図３】
2018057823.tif 000005
【図４】
2018057823.tif 000006
【図５】
2018057823.tif 000007
【図６】
2018057823.tif 000008